(57)【要約】【課題】  定型文書における定型部分を表す定型書式（フォーム）のデータの登録後に、その定型書式データにおいて指定されている属性データの設定値が書き換えられた場合であっても、定型書式データの登録時における属性データの設定値を用いて印刷を行えるようにする。【解決手段】  フォームデータ登録部１３は、フォーム登録処理に際し、そのフォームデータにおいて構成要素に対して関連付け設定されている属性ＩＤが属性データ記憶部１５に登録されている場合には、属性データ登録部１２へ属性複製指示とともに該当する属性ＩＤ及びフォームＩＤを送信する。これらの情報を受信した属性データ登録部１２は、その属性ＩＤに該当する属性データの複製を生成し、当該生成した属性データを、前記受信したフォームＩＤと属性ＩＤとを組み合わせた情報を属性ＩＤとして属性データ記憶部１５に追加する。【選択図】  図２
2010280111.tif 000002
【特許請求の範囲】
【請求項１】
文書の定型部分を表す定型書式データ及びその識別情報を記憶する第１記憶手段と、
文書の構成要素の描画に係る属性データ及びその識別情報を記憶する第２記憶手段と、
前記第１記憶手段に対する追加対象の定型書式データ及びその識別情報を受け付ける第１受付手段と、
前記第１受付手段により受け付けた定型書式データ及びその識別情報を前記第１記憶手段に追加するに際し、当該定型書式データに前記第２記憶手段に記憶されている属性データの識別情報が含まれる場合には、当該属性データの複製を生成し、当該生成した属性データを、当該定型書式データの識別情報と当該複製元の属性データの識別情報とを組み合わせた情報を識別情報として前記第２記憶手段に追加する追加手段と、
印刷対象となる文書の本体部分を表す本体データと当該文書の定型部分を表す定型書式データの識別情報とを受け付ける第２受付手段と、
前記第２受付手段により受け付けた定型書式データの識別情報に該当する定型書式データを前記第１記憶手段から取得し、当該定型書式データの識別情報と当該定型書式データに含まれる属性データの識別情報とを組み合わせた情報を識別情報とした属性データを前記第２記憶手段から取得する取得手段と、
前記第２受付手段により受け付けた本体データにより描画される内容と、前記第２受付手段により受け付けた定型書式データの識別情報に基づいて前記取得手段により取得された定型書式データ及び属性データにより描画される内容とを合成した文書画像を印刷対象として生成する合成手段と、
を備えたことを特徴とする印刷装置。
【請求項２】
前記取得手段は、定型書式データの識別情報と当該定型書式データに含まれる属性データの識別情報とを組み合わせた情報を識別情報とした属性データが前記第２記憶手段に存在しない場合には、前記定型書式データに含まれる属性データの識別情報に該当する属性データを前記第２記憶手段から取得する、
ことを特徴とする請求項１に記載の印刷装置。
【請求項３】
前記印刷装置は、前記第２記憶手段に対する追加対象の属性データ及びその識別情報を受け付ける第３受付手段を備え、
前記第３受付手段による受け付けが許容される属性データの識別情報について、使用可能な文字が限定されており、
前記追加手段及び前記取得手段は、定型書式データの識別情報と属性データの識別情報とを組み合わせた情報として、当該定型書式データの識別情報と当該属性データの識別情報情報と前記使用可能な文字以外の文字とを結合したものを用いる、
ことを特徴とする請求項１又は請求項２に記載の印刷装置。
【請求項４】
文書の定型部分を表す定型書式データ及びその識別情報を記憶する第１記憶手段にアクセスする機能と、
文書の構成要素の描画に係る属性データ及びその識別情報を記憶する第２記憶手段にアクセスする機能と、
前記第１記憶手段に対する追加対象の定型書式データ及びその識別情報を受け付ける第１受付機能と、
前記第１受付機能により受け付けた定型書式データ及びその識別情報を前記第１記憶手段に追加するに際し、当該定型書式データに前記第２記憶手段に記憶されている属性データの識別情報が含まれる場合には、当該属性データの複製を生成し、当該生成した属性データを、当該定型書式データの識別情報と当該複製元の属性データの識別情報とを組み合わせた情報を識別情報として前記第２記憶手段に追加する追加機能と、
印刷対象の文書の本体部分を表す本体データと当該文書の定型部分を表す定型書式データの識別情報とを受け付ける第２受付機能と、
前記第２受付機能により受け付けた定型書式データの識別情報に該当する定型書式データを前記第１記憶手段から取得し、当該定型書式データの識別情報と当該定型書式データに含まれる属性データの識別情報とを組み合わせた情報を識別情報とした属性データを前記第２記憶手段から取得する取得機能と、
前記第２受付機能により受け付けた本体データにより描画される内容と、前記第２受付機能により受け付けた定型書式データの識別情報に基づいて前記取得機能により取得された定型書式データ及び属性データにより描画される内容とを合成した文書画像を印刷対象として生成する合成機能と、
を印刷装置のコンピュータに実現させるためのプログラム。
【発明の詳細な説明】
【技術分野】
【０００１】
本発明は、印刷装置及びプログラムに関する。
【背景技術】
【０００２】
従来、売上明細・請求明細・仕入明細等の定型文書を印刷する場合には、帳票名・罫線・項目タイトル等の定型部分を表す定型書式（フォーム）が予め印刷された専用用紙を用いて行われていた。すなわち、例えば、ホストコンピュータから印字対象となる本体データ（例えば、取引先の名称、商品名、金額）のみをドットプリンタに送信して、ドットプリンタにて、専用用紙の該当箇所に対して本体データに基づく印字を行っていた。
【０００３】
近年では、上記のような専用用紙を用いずに、汎用的な用紙（無地の用紙）を用いて定型文書の印刷を行う手法が実現されている。その一例として、印刷・複写・ファクシミリ等の機能を複合的に備えた複合機に、定型文書における定型部分のフォームデータを予め登録しておき、端末装置（アプリケーションソフト）側から印字対象となる本体データを複合機に送信して、複合機にて、本体データの描画内容とフォームデータの描画内容とを合成した文書画像を印刷対象として用紙に対する印刷が行われる。
なお、フォームデータは必ずしも事前登録されている訳ではなく、端末装置側から本体データとともにフォームデータが併せて送信される場合もあり、この場合には、その印刷処理を終えた段階で自動的にフォームデータが削除される。
【０００４】
ここで、このようなフォームデータを用いる場合、フォームを構成する文字や図形（例えば線分）といった構成要素の描画コマンドはフォームデータ内に設定されるが、その描画に係る属性データ（文字フォントや線種などの表現形式を表す情報）についてはユーザ定義データとして複合機に予め登録しておき、その識別情報をフォームデータ内で指定することが行われている。
【０００５】
なお、フォームデータを用いた印刷に関する先行技術として、例えば特許文献１には、フォームデータを登録する際に、その登録時の装置の諸設定情報も同時に登録することが開示されている。
【先行技術文献】
【特許文献】
【０００６】
【特許文献１】特開平０６−０９１９７９号公報
【発明の概要】
【発明が解決しようとする課題】
【０００７】
本発明は、定型文書における定型部分を表す定型書式（フォーム）のデータの登録後に、その定型書式データにおいて指定されている属性データの設定値が書き換えられた場合であっても、定型書式データの登録時における属性データの設定値を用いて印刷を行えるようにすることを目的とする。
【課題を解決するための手段】
【０００８】
第１の本発明は、文書の定型部分を表す定型書式データ及びその識別情報を記憶する第１記憶手段と、文書の構成要素の描画に係る属性データ及びその識別情報を記憶する第２記憶手段と、前記第１記憶手段に対する追加対象の定型書式データ及びその識別情報を受け付ける第１受付手段と、前記第１受付手段により受け付けた定型書式データ及びその識別情報を前記第１記憶手段に追加するに際し、当該定型書式データに前記第２記憶手段に記憶されている属性データの識別情報が含まれる場合には、当該属性データの複製を生成し、当該生成した属性データを、当該定型書式データの識別情報と当該複製元の属性データの識別情報とを組み合わせた情報を識別情報として前記第２記憶手段に追加する追加手段と、印刷対象となる文書の本体部分を表す本体データと当該文書の定型部分を表す定型書式データの識別情報とを受け付ける第２受付手段と、前記第２受付手段により受け付けた定型書式データの識別情報に該当する定型書式データを前記第１記憶手段から取得し、当該定型書式データの識別情報と当該定型書式データに含まれる属性データの識別情報とを組み合わせた情報を識別情報とした属性データを前記第２記憶手段から取得する取得手段と、前記第２受付手段により受け付けた本体データにより描画される内容と、前記第２受付手段により受け付けた定型書式データの識別情報に基づいて前記取得手段により取得された定型書式データ及び属性データにより描画される内容とを合成した文書画像を印刷対象として生成する合成手段と、を備えたことを特徴とする印刷装置である。
【０００９】
第２の本発明は、第１の本発明において、前記取得手段は、定型書式データの識別情報と当該定型書式データに含まれる属性データの識別情報とを組み合わせた情報を識別情報とした属性データが前記第２記憶手段に存在しない場合には、前記取得した定型書式データに含まれる属性データの識別情報に該当する属性データを前記第２記憶手段から取得する、ことを特徴とする。
【００１０】
第３の本発明は、第１又は第２の本発明において、前記印刷装置は、前記第２記憶手段に対する追加対象の属性データ及びその識別情報を受け付ける第３受付手段を備え、前記第３受付手段による受け付けが許容される属性データの識別情報について、使用可能な文字が限定されており、前記追加手段及び前記取得手段は、定型書式データの識別情報と属性データの識別情報とを組み合わせた情報として、当該定型書式データの識別情報と当該属性データの識別情報情報と前記使用可能な文字以外の文字とを結合したものを用いる、ことを特徴とする。
【００１１】
第４の本発明は、文書の定型部分を表す定型書式データ及びその識別情報を記憶する第１記憶手段にアクセスする機能と、文書の構成要素の描画に係る属性データ及びその識別情報を記憶する第２記憶手段にアクセスする機能と、前記第１記憶手段に対する追加対象の定型書式データ及びその識別情報を受け付ける第１受付機能と、前記第１受付機能により受け付けた定型書式データ及びその識別情報を前記第１記憶手段に追加するに際し、当該定型書式データに前記第２記憶手段に記憶されている属性データの識別情報が含まれる場合には、当該属性データの複製を生成し、当該生成した属性データを、当該定型書式データの識別情報と当該複製元の属性データの識別情報とを組み合わせた情報を識別情報として前記第２記憶手段に追加する追加機能と、印刷対象となる文書の本体部分を表す本体データと当該文書の定型部分を表す定型書式データの識別情報とを受け付ける第２受付機能と、前記第２受付機能により受け付けた定型書式データの識別情報に該当する定型書式データを前記第１記憶手段から取得し、当該定型書式データの識別情報と当該定型書式データに含まれる属性データの識別情報とを組み合わせた情報を識別情報とした属性データを前記第２記憶手段から取得する取得機能と、前記第２受付機能により受け付けた本体データにより描画される内容と、前記第２受付機能により受け付けた定型書式データの識別情報に基づいて前記取得機能により取得された定型書式データ及び属性データにより描画される内容とを合成した文書画像を印刷対象として生成する合成機能と、を印刷装置のコンピュータに実現させるためのプログラムである。
【発明の効果】
【００１２】
第１の本発明によると、定型文書における定型部分を表す定型書式データの登録時に、その定型書式データにおいて指定されている属性データを複製しておくため、定型書式データの登録後に、その定型書式データにおいて指定されている属性データが書き換えられた場合であっても、定型書式データの登録時における属性データを用いて印刷を行える。
【００１３】
第２の本発明によると、属性データの複製を行わない方式において登録されていた定型書式データを用いる場合であっても、その定型書式データにおいて指定されている属性データを用いて印刷を続行することができる。
【００１４】
第３の本発明によると、登録された定型書式データにおいて指定されている属性データの書き換えを防止することができる。
【００１５】
第４の本発明によると、定型文書における定型部分を表す定型書式データの登録後に、その定型書式データにおいて指定されている属性データの設定値が書き換えられた場合であっても、定型書式データの登録時における属性データの設定値を用いて印刷を行える。
【図面の簡単な説明】
【００１６】
【図１】本発明の一実施形態に係る印刷システムによる処理の概要を例示する図である。
【図２】本発明の一実施形態に係る印刷装置の機能ブロックを例示する図である。
【図３】本発明の一実施形態に係る属性データ及びフォームデータを説明する図である。
【図４】本発明の一実施形態に係る属性データを例示する図である。
【図５】本発明の一実施形態に係るフォーム登録処理のフローを例示する図である。
【図６】本発明の一実施形態に係る印刷装置のハードウェア構成を例示する図である。
【発明を実施するための形態】
【００１７】
本発明の一実施形態について、図面を参照して説明する。
図１には、本発明の一実施形態に係る印刷システムによる処理の概要を例示してある。
本例の印刷システムでは、印刷・複写・ファクシミリ等の機能を複合的に備えた複合機ＭＦＰ（Ｍｕｌｔｉｆｕｎｃｔｉｏｎ  Ｐｅｒｉｐｈｅｒａｌ）に、売上明細・請求明細・仕入明細等の定型文書における定型部分ｄ２を表す定型書式（フォーム）のデータを予め登録してあり、この複合機ＭＦＰが、定型文書における本体部分ｄ１を表す本体データ及び使用するフォームデータの識別情報を端末装置ＰＣ側から受信したことに応じて、当該本体データによる描画内容（本体部分ｄ１の画像）と当該フォームデータによる描画内容（定型部分ｄ２の画像）とを合成した文書画像Ｄを出力イメージ（印刷対象）として生成して用紙等の記録媒体に記録（印刷）する印刷装置として動作する。
【００１８】
図２には、本例に係る複合機ＭＦＰ（印刷装置）の機能ブロックを例示してある。
本例の複合機ＭＦＰは、通信部１１、属性データ登録部１２、フォームデータ登録部１３、データ記憶部１４、画像処理部１７、印刷処理部２１、等の機能部を有している。
通信部１１は、有線又は無線通信により端末装置ＰＣ等の他の装置との間でデータ送受信を行う。
【００１９】
データ記憶部１４は、文書を構成する文字や図形（例えば線分）といった構成要素の描画に係る属性データ（文字フォントや線種などの表現形式を表す情報）を記憶する属性データ記憶部１５、定型文書における定型部分を表すフォームデータを記憶するフォームデータ記憶部１６を有している。
本例では、図３（ａ）に例示するように、属性データ記憶部１５において各属性データにその識別情報として属性ＩＤを付して記憶し、また、図３（ｂ）に例示するように、フォームデータ記憶部１６において各フォームデータにその識別情報としてフォームＩＤを付して記憶している。
【００２０】
属性データとしては、例えば、文書の構成要素となる文字のフォントに関し、書体（タイプフェイス）、文字の高さ、文字の横幅等を示す値（フォント属性）が設定され、また例えば、文書に構成要素となる線分（図形の一例）の種別に関し、線の形式（実線、破線、二重線など）、破線の場合における破線パターン（破線の間隔）、線の太さ等の属性を示す値（線種属性）が設定される。
フォームデータとしては、例えば、定型文書に構成要素として含まれる帳票名や項目タイトル等の定型的な文字について、その内容を表す文字データや描画位置を示す座標データ等が設定され、定型文書に構成要素として含まれる罫線等の定型的な図形について、描画位置を示す座標データ等が設定され、更に、このような構成要素の実体データに対して属性ＩＤを関連付け設定することにより、それぞれの構成要素の描画に使用する属性データを指定してある。
【００２１】
属性データ登録部１２は、通信部１１により端末装置ＰＣから属性登録指示を受信したことに応じて、属性登録指示とともに受け付けた属性データ及びその属性ＩＤを属性データ記憶部１５の記憶内容に追加する属性登録処理を行う。
フォームデータ登録部１３は、通信部１１により端末装置ＰＣからフォーム登録指示を受信したことに応じて、フォーム登録指示とともに受け付けたフォームデータ及びそのフォームＩＤをフォームデータ記憶部１６の記憶内容に追加するフォーム登録処理を行う。
【００２２】
また、フォームデータ登録部１３では、フォーム登録処理の際にそのフォームデータの内容を解析し、当該フォームデータにおいて構成要素に対して関連付け設定されている属性ＩＤについて、その属性ＩＤが属性データ記憶部１５に登録（記憶）されている場合には、属性データ登録部１２へ属性複製指示とともに該当する属性ＩＤ及びフォームＩＤを送信する。
そして、属性データ登録部１２では、フォームデータ登録部１３から属性複製指示とともに属性ＩＤ及びフォームＩＤを受信すると、属性データ記憶部１５に登録されている属性データのうち前記受信した属性ＩＤが付されている属性データの複製を生成し、当該生成した属性データを、前記受信したフォームＩＤ（参照元のフォームデータのフォームＩＤ）と前記受信した属性ＩＤ（複製元の属性データの属性ＩＤ）とを組み合わせた情報を属性ＩＤとして属性データ記憶部１５の記憶内容に追加する属性複製処理を行う。
【００２３】
具体的には、図４に例示するように、ｃｏｄｅｓｉｚｅ、ｇｒｓｅｔ、ｔｙｐｅｆａｃｅ、ｆｈ、ｆｗ等の文字フォントに係る属性データが属性ＩＤ＝“１５３”として属性データ記憶部１５に登録されている場合において、この属性ＩＤがフォーム登録処理の対象のフォームデータ内で指定されている場合には、当該属性データの複製を生成するとともに、その複製元の属性ＩＤ（＝“１５３”）に参照元のフォームデータの識別情報（本例では、フォームＩＤ（名称）＝“ｆｏｒｍ１”）を組み合わせた識別子（＝“１５３％ｆｏｒｍ１”）を生成し、この識別子を属性ＩＤとして、前記生成した属性データを属性データ記憶部１５に追加する。
これにより、別の処理によって属性ＩＤ＝“１５３”の属性データ（複製元の属性データ）が上書き登録されたとしても、フォームＩＤ＝“ｆｏｒｍ１”のフォームデータで参照する属性データの内容は影響されなくなる。また、複製元の属性データはそのまま残してあるので、従来仕様（属性複製処理を伴わないフォーム登録処理）との互換性を保つことができる。
【００２４】
ここで、本例では、端末装置ＰＣから属性登録指示とともに受け付ける属性ＩＤに関し、その受け付けが許容される属性ＩＤについて使用可能な文字が限定（本例では数字のみ使用可能）されており、これ以外の文字（本例では“％”）を、複製元の属性データの属性ＩＤと参照元のフォームデータのフォームＩＤとの区切り文字（デリミタ）として含めることで、フォームデータと関連付けて複製登録された属性データが、端末装置ＰＣからの属性登録指示によって書き換え（上書き登録）られてしまうことを防止している。このため、フォームデータと関連付けて複製登録された属性データの内容は不変となる。
【００２５】
本例のフォーム登録処理の流れを、図５に例示する処理フローを参照して説明する。
フォームデータ登録部１３は、端末装置ＰＣからフォーム登録指示とともに受け付けたフォームデータ及びそのフォームＩＤをフォームデータ記憶部１６の記憶内容に追加する処理を行うと共に、当該フォームデータの内容を解析して以下の処理を行う。
すなわち、フォームデータを構成する文字や図形等の構成要素の描画に関するコマンド文字列を取得し（ステップＳ１１）、このコマンド文字列がパラメータを持つか否か（すなわち、表現形式の指定を伴うか否か）を判定する（ステップＳ１２）。
ステップＳ１２において、フォームデータの構成要素に関するコマンド文字列がパラメータを持つと判定された場合には、そのパラメータを取り込んで設定内容を解析し（ステップＳ１３）、コマンド文字列のパラメータがユーザ定義の属性データを参照しているか否か（すなわち、属性データ記憶部１５に登録されている属性ＩＤの指定を含むか否か）を判定する（ステップＳ１４）。
【００２６】
そして、ステップＳ１４において、コマンド文字列のパラメータがユーザ定義の属性データを参照していると判定された場合には、属性データ登録部１２が、ユーザ定義の属性データを識別する属性ＩＤにそのフォームデータを識別するフォームＩＤ（本例ではフォーム名）を付した識別子を生成し（ステップＳ１５）、当該識別子を新たな属性ＩＤとして、オリジナルのユーザ定義の属性データを属性データ記憶部１５に複製登録する（ステップＳ１６）。
以上のステップＳ１１〜ステップＳ１６の処理を、フォームデータの構成要素に関するコマンド文字列に対して順番に実行し、全てのコマンド文字列についての処理を終えると、フォーム登録処理を終了する。
【００２７】
画像処理部１７は、通信部１１により端末装置ＰＣから受信した文書印刷指示に応じて、文書印刷指示とともに受け付けた定型文書の本体データ及びフォームＩＤに基づいて、当該本体データによる描画内容と当該フォームＩＤに該当するフォームデータによる描画内容とを合成した文書画像を生成する処理を行うものであり、本例では、本体データ処理部１８、フォームデータ処理部１９、合成画像生成部２０を有している。
印刷処理部２１は、画像処理部１７により印刷対象として生成された文書画像を、用紙等の記録媒体に記録（印刷）する印刷処理を行う。
【００２８】
画像処理部１７における具体的な処理内容を説明する。
画像処理部１７は、文書印刷指示とともに定型文書の本体データ及びフォームＩＤを受け付けると、本体データ処理部１８が、本体データの内容の解析を行うとともに、フォームデータ処理部１９が、フォームＩＤに該当するフォームデータをフォームデータ記憶部１６から読み出して取得して、その内容の解析を行う。
【００２９】
このとき、本体データ処理部１８及びフォームデータ処理部１９は、本体データ及びフォームデータに属性ＩＤが含まれる場合には、その属性ＩＤに該当する属性データを属性データ記憶部１５から読み出して取得する。なお、フォームデータ処理部１９による属性データの取得は、フォームデータに含まれる属性ＩＤをそのまま用いて属性データ記憶部１５を検索するのではなく、フォームＩＤと属性ＩＤとを組み合わせた情報（属性複製処理と同様の手法で得られる識別子）を用いて属性データ記憶部１５の検索を行って、該当する属性データを取得する。ただし、従来仕様（属性複製処理を伴わないフォーム登録処理）により登録されたフォームデータについては、フォームＩＤと属性ＩＤとを組み合わせた情報を用いた検索では該当するフォームデータを取得できないため、この場合には、フォームデータに含まれる属性ＩＤをそのまま用いて検索を行うようにする。
【００３０】
その後、本体データ及びフォームデータの解析結果及び取得した属性データに基づいて、合成画像生成部２０が、本体データ及び該当する属性データにより描画される内容と、フォームデータ及び該当する属性データにより描画される内容とを合成した文書画像を印刷対象として生成する。
このようにして生成された印刷対象の文書画像は、印刷処理部２１に提供されて、印刷処理に用いられる。
【００３１】
次に、フォームデータ及び属性データの削除について説明する。
通信部１１により端末装置ＰＣからフォーム削除指示を受信した場合には、フォーム削除指示とともに受け付けたフォームＩＤに該当するフォームデータについてフォームデータ記憶部１６から削除するとともに、当該フォームＩＤと組み合わせた識別子を付された属性データについても属性データ記憶部１５から削除する。
通信部１１により端末装置ＰＣから属性削除指示を受信した場合には、属性削除指示とともに受け付けた属性ＩＤに該当する属性データについてのみ属性データ記憶部１５から削除し、当該属性ＩＤと組み合わせた識別子を付された属性データについては属性データ記憶部１５から削除しない。
つまり、フォームデータ及び属性データの削除は、フォームデータ及び属性データの関連を維持して行うようにしている。
【００３２】
図６には、本例に係る複合機ＭＦＰ（印刷装置）を構成するコンピュータの主要なハードウェアを例示している。
本例では、各種演算処理を行うＣＰＵ３１、ＣＰＵ３１の作業領域となるＲＡＭ３２、基本的な制御プログラムを記憶するＲＯＭ３３、本発明の一実施形態に係る機能を実現するためのプログラムや各種データを記憶するＨＤＤ３４、各種情報を表示出力するための表示装置や操作者により入力操作に用いられるキーボードやマウス等の機器とのインターフェースである入出力Ｉ／Ｆ３５、他の装置との間で通信を行うインターフェースである通信Ｉ／Ｆ３６、等のハードウェア資源を有するコンピュータにより構成されている。
そして、本発明の一実施形態に係る機能を実現するためのプログラムをＨＤＤ３４等から読み出してＲＡＭ３２に展開し、これをＣＰＵ３１により実行させることで、本発明の一実施形態に係る各機能を実現している。
【００３３】
なお、本例では、１台のコンピュータにより印刷装置を実現しているが、各機能部を複数台のコンピュータに分散して設けて印刷装置を実現してもよい。
また、本発明に係るプログラムは、例えば、当該プログラムを記憶したＣＤ−ＲＯＭ等の外部記憶媒体から読み込む形式や、通信回線等を介して受信する形式などにより、本例に係る印刷装置のコンピュータに設定される。
また、本例のようなソフトウェア構成により各機能部を実現する態様に限られず、それぞれの機能部を専用のハードウエアモジュールで実現するようにしてもよい。
【符号の説明】
【００３４】
１１：通信部、  １２：属性データ登録部、  １３：フォームデータ登録部、  １４：データ記憶部、  １５：属性データ記憶部、  １６：フォームデータ記憶部、  １７：画像処理部、  １８：本体データ処理部、  １９：フォームデータ処理部、  ２０：合成画像生成部、  ２１：印刷処理部
【図１】
2010280111.tif 000003
【図２】
2010280111.tif 000004
【図３】
2010280111.tif 000005
【図４】
2010280111.tif 000006
【図５】
2010280111.tif 000007
【図６】
2010280111.tif 000008